【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信のための方法であって、
ユーザ機器（ＵＥ）からバンドルされたランダムアクセスチャネル（ＲＡＣＨ）送信を受信することと、
ブロードキャスト情報のバンドルされた送信をトリガすることと
を備え、前記トリガすることは、前記バンドルされたＲＡＣＨ送信を受信することに応答して行われるという点おいて特徴付けられる、方法。
【請求項２】
ブロードキャスト情報の前記バンドルされた送信が、少なくとも１つのシステム情報ブロック（ＳＩＢ）を備える、請求項１に記載の方法。
【請求項３】
ブロードキャスト情報の前記バンドルされた送信が、利用可能なＳＩＢのサブセットのみを備える、請求項２に記載の方法。
【請求項４】
ブロードキャスト情報の前記バンドルされた送信が、少なくとも１つの物理ブロードキャストチャネル（ＰＢＣＨ）を備える、請求項１に記載の方法。
【請求項５】
ブロードキャスト情報の前記バンドルされた送信が、少なくとも１つのシステム情報ブロック（ＳＩＢ）をさらに備える、請求項４に記載の方法。
【請求項６】
前記バンドルされたＲＡＣＨ送信を受信する前にバンドルされた物理ＲＡＣＨ（ＰＲＡＣＨ）構成を示すシステム情報ブロック（ＳＩＢ）のバンドルされた送信を送信することをさらに備える、請求項１に記載の方法。
【請求項７】
基地局（ＢＳ）におけるワイヤレス通信のための装置であって、
ユーザ機器（ＵＥ）からバンドルされたランダムアクセスチャネル（ＲＡＣＨ）送信を受信するための手段と、
ブロードキャスト情報のバンドルされた送信をトリガするための手段と
を備え、トリガするための前記手段は、前記バンドルされたＲＡＣＨ送信を受信することに応答してブロードキャスト情報のバンドルされた送信をトリガするように適合されるという点おいて特徴付けられる、装置。
【請求項８】
ブロードキャスト情報の前記バンドルされた送信が、少なくとも１つのシステム情報ブロック（ＳＩＢ）を備える、請求項７に記載の装置。
【請求項９】
ブロードキャスト情報の前記バンドルされた送信が、利用可能なＳＩＢのサブセットのみを備える、請求項８に記載の装置。
【請求項１０】
ブロードキャスト情報の前記バンドルされた送信が、少なくとも１つの物理ブロードキャストチャネル（ＰＢＣＨ）を備える、請求項７に記載の装置。
【請求項１１】
ブロードキャスト情報の前記バンドルされた送信が、少なくとも１つのシステム情報ブロック（ＳＩＢ）をさらに備える、請求項１０に記載の装置。
【請求項１２】
前記バンドルされたＲＡＣＨ送信を受信する前にバンドルされた物理ＲＡＣＨ（ＰＲＡＣＨ）構成を示すシステム情報ブロック（ＳＩＢ）のバンドルされた送信を送信するための手段をさらに備える、請求項７に記載の装置。
【請求項１３】
ユーザ機器（ＵＥ）によるワイヤレス通信のための方法であって、
バンドルされた物理ＲＡＣＨ（ＰＲＡＣＨ）構成を示すシステム情報ブロック（ＳＩＢ）のバンドルされた送信を受信することと、
ブロードキャスト情報のバンドルされた送信をトリガするために前記ＰＲＡＣＨ構成に従ってバンドルされたＲＡＣＨ送信を実行することと、
前記バンドルされたＲＡＣＨ送信を受信する基地局に応答してトリガされたブロードキャスト情報のバンドルされた送信を受信することと
を備える、方法。
【請求項１４】
ユーザ機器（ＵＥ）におけるワイヤレス通信のための装置であって、
バンドルされた物理ＲＡＣＨ（ＰＲＡＣＨ）構成を示すシステム情報ブロック（ＳＩＢ）のバンドルされた送信を受信するための手段と、
ブロードキャスト情報のバンドルされた送信をトリガするために前記ＰＲＡＣＨ構成に従ってバンドルされたＲＡＣＨ送信を実行するための手段と、
前記バンドルされたＲＡＣＨ送信を受信する基地局に応答してトリガされたブロードキャスト情報のバンドルされた送信を受信するための手段と
を備える、装置。
【請求項１５】
請求項１乃至６のうちのいずれかの方法をプロセッサに実行させるためのプロセッサ実行可能な命令を備える、コンピュータ可読媒体。
【手続補正２】
【補正対象書類名】明細書
【補正対象項目名】００８０
【補正方法】変更
【補正の内容】
【００８０】
[0101]本開示についての以上の説明は、いかなる当業者でも本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書に示される例および設計に限定されるものではなく、本明細書で開示される原理および新規な特徴と一致する最も広い範囲が与えられるべきである。
以下に、本願の出願当初の特許請求の範囲に記載された発明を付記する。
［Ｃ１］
ユーザ機器（ＵＥ）によるワイヤレス通信のための方法であって、
物理ダウンリンク共有チャネル（ＰＤＳＣＨ）送信を受信することと、
前記ＰＤＳＣＨ送信と比較して上昇した送信電力を有する、異なるタイプのダウンリンク送信を受信することと、
前記異なるタイプのダウンリンク送信の前記送信電力に基づいて共通基準信号（ＣＲＳ）に対する前記ＰＤＳＣＨ送信の相対送信電力に関する情報を受信することと、
前記情報に基づいて前記ＰＤＳＣＨ送信を処理することとを備える、方法。
［Ｃ２］
前記異なるタイプのダウンリンク送信が、物理ブロードキャストチャネル（ＰＢＣＨ）送信を備え、ここにおいて、
前記ＰＢＣＨ送信の送信電力が、１つまたは複数の電力割振りパラメータの組に基づいて上昇され、
１つまたは複数の電力割振りパラメータの前記組が、ＰＢＣＨシンボル用の少なくとも１つの電力割振りパラメータと、非ＰＢＣＨシンボル用の少なくとも１つの電力割振りパラメータとを備える、Ｃ１に記載の方法。
［Ｃ３］
ヌルトーンの電力調整に関するシグナリングを受信することをさらに備える、Ｃ２に記載の方法。
［Ｃ４］
システム情報ブロック（ＳＩＢ）、無線リソース制御（ＲＲＣ）シグナリング、新規のＰＢＣＨレートマッチング情報、または準コロケーションシグナリングの再使用のうちの少なくとも１つを介して前記ＰＢＣＨ送信のためのレートマッチング情報を受信することをさらに備える、Ｃ２に記載の方法。
［Ｃ５］
前記ＰＢＣＨ送信に使用されないＰＤＳＣＨシンボルの電力調整に関するシグナリングを受信することをさらに備える、Ｃ２に記載の方法。
［Ｃ６］
前記異なるタイプのダウンリンク送信が、少なくとも１つの同期信号を備える、Ｃ１に記載の方法。
［Ｃ７］
基地局（ＢＳ）によるワイヤレス通信のための方法であって、
無線フレームの少なくとも１つのサブフレーム中の物理ブロードキャストチャネル（ＰＢＣＨ）を送信することと、
前記無線フレームの前記同じサブフレームまたは異なるサブフレームのうちの少なくとも１つにおいて前記ＰＢＣＨの送信を反復することとを備える、方法。
［Ｃ８］
前記ＰＢＣＨの反復送信が、いくつかの動作帯域幅のみを用いて実行される、Ｃ７に記載の方法。
［Ｃ９］
前記ＰＢＣＨの反復送信が、前記送信されたＰＢＣＨとは異なるシンボルを使用した前記同じサブフレーム中の前記ＰＢＣＨの反復送信を備える、Ｃ７に記載の方法。
［Ｃ１０］
前記ＰＢＣＨの反復送信が、異なる周波数リソースを使用した前記同じサブフレーム中の前記ＰＢＣＨの反復送信を備える、Ｃ７に記載の方法。
［Ｃ１１］
前記ＰＢＣＨの反復送信が、各送信における同じバージョンおよびペイロードでの前記ＰＢＣＨの反復送信を備える、Ｃ７に記載の方法。
［Ｃ１２］
前記ＰＢＣＨの反復送信が、いくつかの無線フレームのみにおいて実行される、Ｃ７に記載の方法。
［Ｃ１３］
システム情報ブロック（ＳＩＢ）、無線リソース制御（ＲＲＣ）シグナリング、新規のＰＢＣＨレートマッチング情報、または準コロケーションシグナリングの再使用のうちの少なくとも１つを介して前記反復されたＰＢＣＨ送信のためのレートマッチング情報をシグナリングすることをさらに備える、Ｃ７に記載の方法。
［Ｃ１４］
前記ＰＢＣＨの反復送信は、ユーザ機器（ＵＥ）からのバンドルされたランダムアクセスチャネル（ＲＡＣＨ）送信の受信によってトリガされる、Ｃ７に記載の方法。
［Ｃ１５］
ユーザ機器（ＵＥ）によるワイヤレス通信のための方法であって、
無線フレーム中の反復された物理ブロードキャストチャネル（ＰＢＣＨ）送信のためのレートマッチング情報を受信することと、
前記レートマッチング情報に基づいて前記無線フレーム中のダウンリンク送信を処理することとを備える、方法。
［Ｃ１６］
前記ＰＢＣＨ送信が、前記無線フレームの同じサブフレームまたは異なるサブフレームのうちの少なくとも１つにおいて反復される、Ｃ１５に記載の方法。
［Ｃ１７］
前記レートマッチング情報が、システム情報ブロック（ＳＩＢ）、無線リソース制御（ＲＲＣ）シグナリング、新規のＰＢＣＨレートマッチング情報、または準コロケーションシグナリングの再使用のうちの少なくとも１つを介してシグナリングされる、Ｃ１５に記載の方法。
［Ｃ１８］
基地局（ＢＳ）によるワイヤレス通信のための方法であって、
ユーザ機器（ＵＥ）からバンドルされたランダムアクセスチャネル（ＲＡＣＨ）送信を受信することと、
前記バンドルされたＲＡＣＨ送信を受信することに応答してブロードキャスト情報のバンドルされた送信をトリガすることとを備える、方法。
［Ｃ１９］
ブロードキャスト情報の前記バンドルされた送信が、少なくとも１つのシステム情報ブロック（ＳＩＢ）を備える、Ｃ１８に記載の方法。
［Ｃ２０］
ブロードキャスト情報の前記バンドルされた送信が、利用可能なＳＩＢのサブセットのみを備える、Ｃ１９に記載の方法。
［Ｃ２１］
ブロードキャスト情報の前記バンドルされた送信が、少なくとも１つの物理ブロードキャストチャネル（ＰＢＣＨ）を備える、Ｃ１８に記載の方法。
［Ｃ２２］
ブロードキャスト情報の前記バンドルされた送信が、少なくとも１つのシステム情報ブロック（ＳＩＢ）をさらに備える、Ｃ２１に記載の方法。
［Ｃ２３］
前記バンドルされたＲＡＣＨ送信を受信する前にバンドルされた物理ＲＡＣＨ（ＰＲＡＣＨ）構成を示すシステム情報ブロック（ＳＩＢ）のバンドルされた送信を送信することをさらに備える、Ｃ１８に記載の方法。